(57)【特許請求の範囲】
【請求項１】
底壁及び周壁を備えるとともに頂壁部分が開放された枠体内でコンクリート体を養生するコンクリート構造体の製造に係り、
枠体内に、コンクリート体を構成するセメント等の組成物を水で混練した状態で充填して充填層を形成し、充填後に充填層を底壁に向かって圧縮した後、水和反応を経て、枠体の内部にてコンクリート体を養生したコンクリート構造体を得ることを特徴とするコンクリート構造体の製造方法。
【請求項２】
枠体とコンクリート体との間を、剥離を促すようにしておき、養生後にコンクリート体を枠体から取り出し、内空をほぼ同一形状とする別異の枠体に移し替えるようにしている請求項１記載のコンクリート構造体の製造方法。
【請求項３】
前記枠体を収容する固定型と、前記枠体の周壁に連続する位置に選択的に補助的な周壁を形成する補助可動型と、前記枠体の底壁に対して近接可能であって圧縮時に少なくとも先端が補助可動型の周壁の内周に挿入される可動型とを用い、
充填時に、充填層を前記枠体の周壁よりも嵩高く形成するようにしている請求項１又は２記載のコンクリート構造体の製造方法。
【請求項４】
充填層を、周壁のほぼ２倍程度の嵩に形成するようにしている請求項３記載のコンクリート構造体の製造方法。
【請求項５】
圧縮時に枠体から水が逃げることがない程度に、セメント等の組成物と水との混合比率を設定している請求項１、２、３又は４記載のコンクリート構造体の製造方法。
【請求項６】
組成物と水の比率が、ほぼ１００対３０重量％である請求項５記載のコンクリート構造体の製造方法。
【請求項７】
コンクリート構造体が、建築床面上に支持脚を介し敷設されて二重床を構成する床パネル要素である請求項１、２、３、４、５又は６記載のコンクリート構造体の製造方法。
【請求項８】
枠体が、使用時に支持脚の先端部を挿入させるための貫通孔を底壁に有し、その貫通孔を一時的に塞いだ状態で充填層の圧縮を行うようにしている請求項７記載のコンクリート構造体の製造方法。
【請求項９】
コンクリート構造体が、建築床面上に床パネル要素を敷設して二重床を構成するための支持脚である請求項１、２、３、４、５又は６記載のコンクリート構造体の製造方法。
【請求項１０】
支持脚が、枠体の頂壁部分に表出するコンクリート体を被覆する蓋体を備え、充填層の圧縮時にこの蓋体を当てがった状態で充填層の圧縮を行って、水和反応による養生後に蓋体とコンクリート体とが結合したコンクリート構造体を得るようにしている請求項９記載のコンクリート構造体の製造方法。
【請求項１１】
蓋体の一部に、コンクリート体の組織内に埋め込まれるアンカー部を設けるようにしている請求項１０記載のコンクリート構造体の製造方法。
【請求項１２】
請求項１、２、３、４、５、６、７、８、９、１０又は１１記載のコンクリート構造体の製造方法を実施する際に利用するものであって、
枠体を収容する固定型と、枠体の周壁に連続する位置に選択的に補助的な周壁を形成する補助可動型と、枠体の底壁に対して近接可能であって圧縮時に少なくとも先端が補助可動型の周壁の内周に挿入される可動型とを具備することを特徴とする金型。
【発明の詳細な説明】
【０００１】
【発明の属する技術分野】
本発明は、枠体内にコンクリート体を打設成形して構成されるコンクリート構造体に関し、特にその製造効率の向上を図ったコンクリート構造体の製造方法に関するものである。
【０００２】
【従来の技術】
床パネル等を製造するに際して、枠体内にコンクリート体を打設成形し、安価にして強度のあるコンクリート二次製品を製造する手法が確立されている。
【０００３】
この場合、枠体を一部にセメント注入口及び空気抜きを有する概略密閉構造のものにしておき、その内空にセメントを流し込んで水和反応による養生を待つようにしているのが通例である。
【０００４】
【発明が解決しようとする課題】
ところが、この場合、内空の隅々までセメントを行き亘らせるためには、セメントの粘度を下げて枠体内に流し込み易い状態にしておく必要がある。このため、ある程度水分が蒸発して乾くまでは動かすことができず、生産効率が悪いという問題があった。
【０００５】
【課題を解決するための手段】
上記の問題点を解消するために、本発明は、枠体内に、コンクリート体を構成するセメント等の組成物を水で混練した状態で充填して充填層を形成し、充填後に充填層を底壁に向かって圧縮した後、水和反応を経て、枠体の内部にてコンクリート体を養生したコンクリート構造体を得るようにしたものである。
【０００６】
このような手法によれば、圧縮後の充填層はある程度保形性を有した状態にあるため、充填後すぐに枠体を動かしても、セメント等の組成物が枠体内で移動したり枠体から流出するなどして適正な充填状態が崩れる不都合を回避することができる。しかも、圧縮時にコンクリート体の表面が平滑化されるため、打設後単に放置するに過ぎない場合に比べて、面精度の高いコンクリート構造体を容易に得ることができる。特に、圧縮方向に荷重が掛かるような態様で使用すれば、コンクリート体の強度の維持、発揮に有効なものとなる。
【０００７】
このようにして、通常は枠体とコンクリート体とが結合した状態が得られるのであるが、最終的なコンクリート構造体の枠体を樹脂等により構成したい場合には、最初は金属あるいはこれに準じた剛性のある枠体を用い、この枠体とコンクリート体との間を、剥離を促すようにしておき、養生後にコンクリート体を枠体から取り出し、内空をほぼ同一形状とする樹脂等の枠体に移し替えるようにしておくことが有効となる。剥離を促す手法としては、例えば枠体の内面をテーパ形状にしたり、界面に剥離剤を塗布するなどの態様が挙げられる。
【０００８】
具体的な実施の態様としては、前記枠体を収容する固定型と、前記枠体の周壁に連続する位置に選択的に補助的な周壁を形成する補助可動型と、前記枠体の底壁に対して近接可能であって圧縮時に少なくとも先端が補助可動型の周壁の内周に挿入される可動型とを用い、組成物の充填時に、充填層を前記枠体の周壁よりも嵩高く（例えば２倍程度に）形成するようにしておくのが好ましい。
【０００９】
圧縮工程を簡素に行うようにするためには、圧縮時に枠体から水が逃げることがない程度に、セメント等の組成物と水との混合比率を設定して、水を逃がすための配慮を不要にしておくことが望ましい。すなわち、いわゆる従来の湿式工法に対して、乾式工法を採用しようとするものである。
【００１０】
具体的には、組成物と水の比率は、理論水和値が１００対２７％であることを考慮すると、ほぼ１００対３０重量％程度に設定しておくことが有効である。
【００１１】
コンクリート構造体の一例としては、建築床面上に支持脚を介し敷設されて二重床を構成する床パネル要素が挙げられる。
【００１２】
この床パネル要素を適正に製造し使用するためには、枠体が、使用時に支持脚の先端部を挿入させるための貫通孔を底壁に有し、その貫通孔を一時的に塞いだ状態で充填層の圧縮を行うようにしていることが望ましい。
【００１３】
また、コンクリート構造体の他の一例としては、建築床面上に床パネル要素を敷設して二重床を構成するための支持脚が挙げられる。
【００１４】
この支持脚を適正に製造し使用するためには、支持脚が、枠体の頂壁部分に表出するコンクリート体を被覆する蓋体を備え、充填層の圧縮時にこの蓋体を当てがった状態で充填層の圧縮を行って、水和反応による養生後に蓋体とコンクリート体とが結合したコンクリート構造体を得るようにしておくことが望ましい。
【００１５】
特に、蓋体の一部に、コンクリート体の組織内に埋め込まれるアンカー部を設けておけば、コンクリート構造体全体の結合度を効果的に高めることができる。
【００１６】
以上のようなコンクリート構造体の製造方法を実施する際に好適に利用できるものとして、枠体を収容する固定型と、枠体の周壁に連続する位置に選択的に補助的な周壁を形成する補助可動型と、枠体の底壁に対して近接可能であって圧縮時に少なくとも先端が補助可動型の周壁の内周に挿入される可動型とを具備する金型を挙げることができる。
【００１７】
【発明の実施の形態】
以下、本発明の一実施形態を、図面を参照して説明する。
【００１８】
この実施形態は、コンクリート構造体として、図１に示す二重床を構成するための支持脚１及び床パネル要素２ａを採り上げるものである。
【００１９】
この二重床は、４つの支持脚１をそれぞれが正方形の頂点をなすような位置関係下に配置するとともに、正方形の辺に対応する部位にそれぞれ配置した４つの連結材３によりそれら支持脚１間を連結して支持ユニットを構成し、この支持ユニットを隣接させるように建築構造床に敷き詰めて、各支持ユニット上に床パネル２を構成する一対の床パネル要素２ａを載せ置くようにしたものである。
【００２０】
支持脚１は、円柱体を縦方向に１／４分割した概略形状をなし、その一部に互いに直交する２つの平面状起立面１ａを有する下向きカップ状の枠体１１を具備するものであり、この枠体１１の上面を床パネル支持面１２とし、この床パネル支持面１２に円柱状をなす先端部１３を上方に向けて突出させている。この枠体１１は、内部にコンクリート体１４（図９参照）を収容されているもので、当該枠体１１は樹脂により構成され、開口端側は樹脂製の蓋体１５により封止されている。
【００２１】
床パネル要素２ａは、図１及び図２に示すように、斜辺同士を付き合わせることによって矩形状の床パネル２を構成する平面視直角三角形状のもので、底壁２１の三辺に周壁２２を屈曲起立させ頂壁側を開口させたスチール製の枠体２０と、この枠体２０の内部に打設成形されたコンクリート体２３（図７参照）とを具備するものである。枠体２０の斜辺には、周壁２２を屈曲起立させる際にその起立端側に更に折曲部２４を連続形成しており、一対の床パネル要素２ａの斜辺同士を対面させ、互いの折曲部２４同士を係わり合わせて床パネル２を構成し、そのコーナー部を４つの支持脚１に支持させ得るようにしている。
【００２２】
前記折曲部２４は、互いに相手形の床パネル要素２ａに作用する荷重の一部を受ける支持部２４ａと、自身に作用する荷重の一部を相手形の床パネル要素２ａに預ける被支持部２４ｂとを具備するもので、支持部２４ａと被支持部２４ｂとは斜辺の中央を境にして左右対称位置に設けてあり、一方の床パネル要素２ａに対して同一形状をなす他方の床パネル要素２ａを１８０゜回転させて付き合わせることによって、支持部２４ａと被支持部２４ｂとが向き合い、支持部２４ａが被支持部２４ｂの下に位置するようにして係わり合う関係に設定されている。また、斜辺中央を基準にしてこれら支持部２４ａ及び被支持部２４ｂの外側には、相手形の床パネル要素２ａの浮き上がりを防止する抑止部２４ｃ及び相手形の床パネル要素２ａに自身の浮き上がり防止を委ねる被抑止部２４ｄが設けて有り、これらの位置関係も上記支持部２４ａ及び被支持部２４ｂに準じ、一対の床パネル要素２ａを１８０゜回転させて付き合わせることによって対向し、被抑止部２４ｄが抑止部２４ｃの下に位置して係わり合うようにしたものである。また、図において符号２５で示すものは、使用時に前述した支持脚１の先端部１１を挿入させるために枠体２０の底壁２１のコーナー付近に打ち抜きによって設けられた突起状の貫通孔であり、また符号２６で示すものはセメント等の組成物ｍの付き回りを良好にするために底壁２１の複数箇所に打ち抜きによって設けられた突起状の貫通孔である。
【００２３】
次に、上記のような形態をなす床パネル要素の製造方法について説明する。
【００２４】
先ず、床パネル要素２ａの外郭をなす枠体２０を製作する。素材にはスチールを用い、このスチールを折り曲げ成形する。この折り曲げは、プレス加工等によって行い、このプレス工程時に前述した折曲部２４（支持部２４ａ、被支持部２４ｂ、抑止部２４ｃ及び被抑止部２４ｄ）を作り込んでおく。また、このとき底壁２１に、前述した貫通孔２５，２６等を設けておく。
【００２５】
次に、図３に示すようにセメント等の組成物ｍをつくり、これに水Ｗを加えて混練する。この実施形態における組成物ｍは、セメントに骨材やガラス繊維を加えたもので、骨材には均質性を保つためにセメントとほぼ同等程度の粒径のものを用い、ガラス繊維は強度を高める目的で使用する。水Ｗの組成物ｍに対する混合比は、理論水和値を下回らない範囲で充填を適切に行い得る最小限の値、例えば、組成物ｍ：水Ｗが１００：３０重量％程度となるように設定する。
【００２６】
そして、先に製作した枠体２０に、組成物ｍに水Ｗを加えて混練したもの（Ｍ）を充填して充填層Ｘを形成する（図５）。充填層Ｘは、枠体２０の周壁２２よりも嵩高く、例えば周壁２２の高さの２倍程度の嵩となるように形成する。上記の混合比では、セメントなどの組成物ｍは流し込める程の流動性はないため、適当な手段を用いて枠体２０内にある程度均質に行き渡るように補助する。
【００２７】
この充填の前後（好ましくは前）において、枠体２０を金型４にセットする（図３）。この金型４は、固定型４１、補助可動型４２及び可動型４３から構成される（図５）。固定型４１は、枠体２０を密接に収容し得る平面形状及び深さを有するもので、特にその深さは、枠体２０を収容した際にその枠体２０の上端と固定型４１の上面とがほぼ面一となるような値に設定されており、この固定型４１の上面に、前述した枠体２０の折曲部２４を収容して固定型４１と次に述べる補助可動型４２との間に隙間が生じることを回避する溝等を適宜設けておく。また、固定型４１の底部には、枠体２０の底壁２１の貫通孔２６等に嵌まり合う嵌合部４１ａを設けておき、枠体２０を固定型４１に収容した状態でこれらの貫通孔２５，２６が一時的に塞がれた状態を実現する。一方、補助可動型４２は、枠体２０の周壁２２に連続する位置に選択的に補助的な周壁４２ａを形成するためのもので、圧縮方向と直交する方向にスライドして（図４）、枠体２０の周壁２２よりも嵩高く形成される充填層Ｘの周囲を密接にバックアップする位置にセットする（図５）。勿論、補助可動型４２は、補助的な周壁４２ａを作れるものであれば、このような態様のものに限らない。可動型４３は、枠体２０の底壁２１に対して接離可能であって、圧縮時に少なくとも先端４３ａが補助可動型４２の周壁４２ａの内周に挿入されるような関係に設定される。
【００２８】
このような金型４を用い、充填層Ｘを底壁２１に向かって圧縮する（図６参照）。プレス圧は、この実施形態の場合、１００ｋｇ／ｃｍ２程度とし、充填層Ｘの上面が枠体２０の起立壁２２の上端にほぼ合致する状態になるまで行う。そして、水和反応による養生過程を待つ。本実施形態では水Ｗの使用量を理論水和値に近い極く少量の値に抑えており、混練したもの（Ｍ）は外力を加えなければその姿態を維持し得るような、いわば粘土のような保形性を呈するものである。それゆえに、打設後すぐに枠体２０を移動させても、混練したもの（Ｍ）が枠体２０からこぼれ、或いは枠体２０内で流動することがない。したがって、圧縮後すぐに金型４を開いて枠体２０を取りだし（図７）、邪魔にならないように壁等に、或いは相互に支え合うように立て掛けておくこともできる。但し、最初の１日程度は、表面にシートを被せ、水の蒸発を防止することが望ましい。
【００２９】
以上の工程を踏んだ後、２〜３週間程度の養生期間を経て、セメント等の組成物と水が水和反応し、枠体２０とコンクリート体２３とが結合した状態の床パネル要素２ａを得ることができる。
【００３０】
次に、図８に示す支持脚１の製造工程について説明する。この実施形態では、図９に示すように、充填層Ｘを圧縮する際に用いる枠体１６と、コンクリート構造体として完成される際の枠体１１とは異なったものにしている。枠体１１は樹脂製のものであるのに対し、枠体１６は前記枠体１１とほぼ同一の内空を有する金属製のものが採用してある。そして、最初はこの金属製の枠体１６を用い、この枠体１６内においてコンクリート体１４の打設成形を行う。組成物ｍに比較的少量の水Ｗを加えて混練したもの（Ｍ）を充填する点、充填層Ｘを枠体１６の周壁１６ｃよりも２倍程度に嵩高く形成する点、この充填層Ｘを枠体１６の底壁１６ｂに向かって圧縮する点においては、上記床パネル要素２ａの製造工程と変わるところはない。但し、圧縮時に蓋体１５を介して充填層Ｘを圧縮する点、この蓋体１５から充填層Ｘに向けて打ち込まれるアンカー１５ａを当該蓋体１５の内面に突出して設けておく点において、若干その工程を異にする。
【００３１】
そして、圧縮後に養生期間を待って、コンクリート体１４と蓋体１５とが結合したら、これを金属製の枠体１６から取り出す。この時の枠体１６とコンクリート体１４との剥離を促すために、この実施形態は、前述した枠体１６の内面１６ａを開口端側に向かって漸次拡大するテーパ形状のものにしている。
【００３２】
そして、それを樹脂製の枠体１１内に移し替える。この枠体１１は、前述した金属製の枠体１６とほぼ同一の内空形状を有する樹脂製のもので、コンクリート体１４がこの枠体１６内に緊密に収容され、蓋体１５はこのとき枠体１１と凹凸関係下に係わり合うような構造を付与されている。このようにして、コンクリート体１４を枠体１１内に収容した支持脚１が完成される。この支持脚１は、前述したように、蓋体１５を建築構造床上に直接設置し、パネル支持面１２に床パネル要素２ａを載せ置いた状態に利用に供されるものである。
【００３３】
このようにして、本実施形態は、床パネル要素２ａや支持脚１を製造するに際して、枠体２０，１１内に、コンクリート体２３，１４を構成するセメント等の組成物ｍを水Ｗで混練した状態で充填して充填層Ｘを形成し、充填後に充填層Ｘを底壁２１、１６ｂに向かって圧縮した後、水和反応を経て、枠体２０，１６の内部にてコンクリート体２３，１４を養生したコンクリート構造体たる床パネル要素２ａ及び支持脚１を得るようにしたものである。
【００３４】
このような手法によれば、圧縮後の充填層Ｘはある程度保形性を有した状態にあるため、充填後すぐに枠体２０，１１を動かしても、セメント等の組成物ｍに水Ｗを混練したもの（Ｍ）が枠体２０，１１内で流動したり枠体２０，１１から流出するなどして適正な充填状態が損なわれることがない。したがって、工程終了後は邪魔にならないところに移動させて養生させる等、製造効率の向上を図ることができる。勿論、水分を極力控えていることにより、水和反応による養生期間の短縮化も期待できるようになる。しかも、圧縮時にコンクリート体２３，１４の表面が平滑化されるため、打設後単に放置するに過ぎない場合に比べて、面精度の高いコンクリート構造体を容易に得ることができる。特に、これらの床パネル要素２ａや支持脚１は前記圧縮方向に荷重が掛かるような態様で使用されるため、コンクリート体２３，１４の強度の維持、発現に極めて有効なものとなる。そして、このように床パネル要素２ａや支持脚１をセメントを主体に構成することにより、安価に製作できる上に、床上を歩行する際にも安定した良好な歩行感を得ることが可能となるものである。
【００３５】
上記において、床パネル要素２ａは、枠体２０とコンクリート体２３とが結合した状態が得られるのであるが、支持脚１は最終的なコンクリート構造体としての枠体１１が樹脂等により構成されるため、最初は金属製の枠体１６を用い、この枠体１６とコンクリート体１４との間に剥離を促すテーパ構造を採用して、養生後にコンクリート体１４を枠体１６から取り出し、内空をほぼ同一形状とする樹脂製の枠体１１に移し替えるようにしている。このため、最終的な枠体１１が金属ほどの剛性がないものであっても、圧縮を適正に行うことができる。そして、枠体１１を樹脂等で構成することによって、床パネル要素２ａを構成する枠体２０の底壁２１が直接コンクリート体１４に接触することをそのパネル支持面１２の介在により防止することができ、歩行時の良好なクッション性と、歩行音の発生の防止機能とを得ることができる。剥離を促す手法としては、枠体１６の内面に剥離剤を塗布しておくことも有効である。
【００３６】
その際、本実施形態において、組成物ｍの充填時に、充填層Ｘを枠体２０，１１の周壁２２、１６ｃよりも嵩高く（例えば２倍程度に）形成するようにしているため、圧縮によって肉損部が生じる等の不都合を伴うこともない。
【００３７】
特に、圧縮時に枠体２０，１１から水が逃げることがない程度に、セメント等の組成物ｍと水Ｗとの混合比率を設定して、いわゆる乾式工法によるようにしているため、水を大量に使用して流し込む湿式工法による場合に比べて、乾きが早く、また圧縮する際に金型4の一部から水を逃がすための特段の配慮を不要にして、工程や装置が複雑になることを極力回避することができる。
【００３８】
具体的な数値例として、組成物ｍと水Ｗの比率を、ほぼ１００対３０重量％程度に設定しているため、理論水和値が１００対２７％であることを考慮した場合に必要な水量を充足しており、かつ一般に１００：５０〜６０重量％程度の水を使用して流し込む場合に比べて、充填層Ｘの保形性や水の余剰分の排除を極めて効果的に行うことができる。
【００３９】
上記の理由により、この手法は建築床面上に敷設して使用される床パネル要素２ａや支持脚１の製造に極めて適したものである。
【００４０】
特に、床パネル要素２ａを製造する際には、枠体２０が、支持脚１の先端部１３を挿入させるための貫通孔２５等を底壁２１に有し、その貫通孔２５を一時的に塞いだ状態で充填層Ｘの圧縮を行うようにしているため、貫通孔２５にセメント等の組成物ｍが回り込んで孔の機能を損なうことを有効に回避しておくことができる。貫通孔２６においても同様である。
【００４１】
また、支持脚１を製造する際には、充填層Ｘの圧縮時に蓋体１５を当てがった状態で充填層Ｘの圧縮を行って、水和反応による養生後に蓋体１５とコンクリート体１４とが結合したコンクリート構造体を得るようにしているため、建築床面上に直接設置される蓋体１５とコンクリート体１４との結合状態を確実なものにすることができる。
【００４２】
特に、蓋体１５の一部に、コンクリート体１４の組織内に埋め込まれるアンカー部１５ａを設けているため、コンクリート構造体全体の結合度を効果的に高めることができる。
【００４３】
さらに、製造装置として、枠体２０，１６を収容する固定型４１と、枠体２０，１６の周壁２２，１６ｃに連続する位置に選択的に補助的な周壁４２ａを形成する補助可動型４２と、枠体２０，１６の底壁２１，１６ｂに対して近接可能であって圧縮時に少なくとも先端４３ａが補助可動型４２の周壁４２ａの内周に挿入される可動型４３とを具備する金型４を採用しているため、嵩上げした充填層Ｘの圧縮を組成物ｍ等を逃がすことなく効果的に行うことが可能となる。
【００４４】
なお、各部の具体的な工程や装置は、上述した実施形態にのみ限定されるものではなく、本発明の趣旨を逸脱しない範囲で種々変形が可能である。
【００４５】
【発明の効果】
本発明は、以上説明した工程を採用することによって、枠体に、セメント等の組成物を水で混練した状態で打設した状態で、直ぐにその枠体を移動等させることができ、これにより適正な工程を損なうことなく生産効率を有効に向上させるとともに、コンクリート構造体としての強度も有効に確保することが可能となる。
【図面の簡単な説明】
【図１】本発明の一実施形態が適用される二重床の構成要素たる床パネル要素及び支持脚を示す斜視図。
【図２】同床パネル要素の構成要素たる枠体を示す斜視図。
【図３】床パネル要素の製造に係る工程説明図。
【図４】床パネル要素の製造に係る工程説明図。
【図５】床パネル要素の製造に係る工程説明図。
【図６】床パネル要素の製造に係る工程説明図。
【図７】床パネル要素の製造に係る工程説明図。
【図８】支持脚を示す斜視図。
【図９】同支持脚の製造に係る工程説明図。
【符号の説明】
１…コンクリート構造体（支持脚）
２…コンクリート構造体（床パネル要素）
４…金型
１１、１６，２０…枠体
１３…先端
１４，２３…コンクリート体
１５…蓋体
１６ｂ、２１…底壁
１６ｃ、２２…周壁
２５…貫通孔
４１…固定型
４２…補助可動型
４３…可動型
ｍ…組成物
Ｍ…混練したもの
Ｗ…水
Ｘ…充填層
【図１】
0005004384.tif 000002
【図２】
0005004384.tif 000003
【図３】
0005004384.tif 000004
【図４】
0005004384.tif 000005
【図５】
0005004384.tif 000006
【図６】
0005004384.tif 000007
【図７】
0005004384.tif 000008
【図８】
0005004384.tif 000009
【図９】
0005004384.tif 000010